(57)【要約】【課題】輝度の高い発光装置を備える鳥害防止装置を提供する。【解決手段】鳥害防止装置１０は、ポール１、風車２、及び一対のストッパ３・３を備える。ポール１の両端部は、第１アングル部材８ｂ及び第２アングル部材８ｄに係止される。風車２は、ポール１に回転可能に取り付けられている。一対のストッパ３・３は、風車２を保持する。風車２の両端部には、ループコイル２ｃが設けられ、ストッパ３の筒部３１には、一対の磁石３ａ・３ａを配置している。風車２が回転すると、電磁誘導の原理で、筒部３１の外壁に備わる発光回路３ｃのＬＥＤ３ｄを発光できる。鳥害防止装置１０は、夜間であっても、風車２の両端部がＬＥＤ３ｄで発光するので、カラスなどの鳥を威嚇できる。これにより、鉄塔８での営巣を防止できる。【選択図】図１
2011151941.tif 000002
【特許請求の範囲】
【請求項１】
地上から上方に延びる一対の支柱部材、これらの支柱部材に両端支持されて略水平状態に配置される第１アングル部材、一対の前記支柱部材に基端部が片持ち状に支持され、先端部が集中する複数のアーム部材、及びこれらのアーム部材の先端部を固定する第２アングル部材を少なくとも有し、複数の前記アーム部材の先端部から送電線が懸垂される鉄塔に設置される鳥害防止装置であって、
一端部が前記第１アングル部材に係止され、他端部が前記第２アングル部材に係止されるポールと、
このポールに取り付けられる風車と、
前記ポールに締結され、前記風車を保持する筒状の一対のストッパと、を備え、
前記風車は、
前記ポールと回転可能に連結し、光が透過可能な中空の軸部と、
前記軸部の長手方向の中央部に設けられ、外周方向に突出する複数の羽根と、
前記軸部の長手方向の両端部の内壁に敷設されたループコイルと、
このループコイルの端末を接続する一対の整流子と、を有し、
前記ストッパは、
前記軸部の両端部の内部に挿入可能な筒部と、
この筒部の外壁から離隔するように対向配置され、互いに極性が異なる一対の磁石と、
前記筒部の外壁に敷設され、一対の前記整流子と断続的に接続する一対のブラシと、
前記筒部の外壁に敷設され、一対の前記ブラシと接続する発光回路と、を有し、
前記発光回路は、前記風車が回転すると電磁誘導により生じる誘導電流で発光する複数の発光素子を外部に向けて配置している鳥害防止装置。
【請求項２】
前記ストッパは、
前記筒部と反対側に設けられた雄ねじ部と、
この雄ねじ部から突出するすり割り付きの円錐部と、
前記雄ねじ部に螺合して、前記円錐部を縮径可能なナットと、を有し、
一対の前記ストッパは、前記ナットが締結されて、前記風車を前記ポールの軸方向の所定の位置に保持する請求項１記載の鳥害防止装置。
【請求項３】
前記ポールと交差するように、当該ポールに取り付けられる折曲げ可能な遮断棒を更に備える請求項１又は２記載の鳥害防止装置。
【発明の詳細な説明】
【技術分野】
【０００１】
本発明は、鳥害防止装置に関する。特に、送電線用の鉄塔に鳥が営巣することに起因する短絡事故などを防止する装置の構造に関する。
【背景技術】
【０００２】
例えば、電力を送電・配電する鉄塔には、カラスなどが営巣することが知られている。カラスは、ハンガーや針金を拝借し、枯れ枝と一緒に積み重ねて巣を作る。したがって、針金などが電線などに触れて漏電又は短絡する事例が発生している。そして、鳥害を防ぐために、カラスなどの鳥を威嚇して、鉄塔に寄せ付けない対策が要望されている。
【０００３】
上述した対策として、基台に鳥が嫌う忌避色に発光する羽根を回転自在に装着した鳥害防止装置が開示されている（例えば、特許文献１参照）。特許文献１による鳥害防止装置は、鳥が嫌う光と威嚇する動きとの複合作用が働き、鳥に強い恐怖心を抱かせることができ、これにより、鳥を鉄塔に寄せ付けないようにできる、としている。
【先行技術文献】
【特許文献】
【０００４】
【特許文献１】実用新案登録第３０７４５１１号公報
【発明の概要】
【発明が解決しようとする課題】
【０００５】
特許文献１による鳥害防止装置は、水平かつ方形状に枠組みされたアングルの隅部が営巣し易い場所であるため、その近くのアングルの上面に風向きを考慮して、複数の鳥害防止装置を設置することにより、効果を奏するとしている。
【０００６】
又、複数のアングルの外側には、複数のアームが四角錐の稜線のように突設され、これらのアームの頂部は、鳥が営巣し易い場所であることも知られている。そして、これらのアームは、送電線を懸垂しているので、この場所に営巣されると、短絡事故を発生する確率が高くなる。
【０００７】
しかし、特許文献１による鳥害防止装置は、基台が方形状の座板からなり、複数のアームの頂部に取り付けるのは、困難であるという問題がある。したがって、複数のアームの頂部に取り付け容易な鳥害防止装置が求められている。
【０００８】
又、特許文献１による鳥害防止装置は、回転する羽根が蓄光顔料又は自発光顔料などの蓄光材を混入した合成樹脂により形成されている。このような蓄光材は、輝度も低いので、特に夜間では、カラスなどの鳥を威嚇することは困難という問題がある。したがって、夜間でも、カラスなどの鳥を威嚇できるように、輝度の高い発光装置を備える鳥害防止装置が求められている。
【０００９】
本発明は、このような課題に鑑みてなされたものであり、鉄塔などに取り付けが容易であり、輝度の高い発光装置を備える鳥害防止装置を提供することを目的とする。
【課題を解決するための手段】
【００１０】
本発明者は、一端部が枠組みされたアングルに係止され、他端部が複数のアームの頂部に係止されるポールと、このポールに回転自在に取り付けられる風車で鳥害防止装置を構成し、電磁誘導の原理を利用して、風車の両端部を発光させることにより、これらの課題が解決可能なことを見出し、これに基づいて、以下のような新たな鳥害防止装置を発明するに至った。
【００１１】
（１）本発明による鳥害防止装置は、地上から上方に延びる一対の支柱部材、これらの支柱部材に両端支持されて略水平状態に配置される第１アングル部材、一対の前記支柱部材に基端部が片持ち状に支持され、先端部が集中する複数のアーム部材、及びこれらのアーム部材の先端部を固定する第２アングル部材を少なくとも有し、複数の前記アーム部材の先端部から送電線が懸垂される鉄塔に設置される鳥害防止装置であって、一端部が前記第１アングル部材に係止され、他端部が前記第２アングル部材に係止されるポールと、このポールに取り付けられる風車と、前記ポールに締結され、前記風車を保持する筒状の一対のストッパと、を備え、前記風車は、前記ポールと回転可能に連結し、光が透過可能な中空の軸部と、前記軸部の長手方向の中央部に設けられ、外周方向に突出する複数の羽根と、前記軸部の長手方向の両端部の内壁に敷設されたループコイルと、このループコイルの端末を接続する一対の整流子と、を有し、前記ストッパは、前記軸部の両端部の内部に挿入可能な筒部と、この筒部の外壁から離隔するように対向配置され、互いに極性が異なる一対の磁石と、前記筒部の外壁に敷設され、一対の前記整流子と断続的に接続する一対のブラシと、前記筒部の外壁に敷設され、一対の前記ブラシと接続する発光回路と、を有し、前記発光回路は、前記風車が回転すると電磁誘導により生じる誘導電流で発光する複数の発光素子を外部に向けて配置している。
【００１２】
（２）前記ストッパは、前記筒部と反対側に設けられた雄ねじ部と、この雄ねじ部から突出するすり割り付きの円錐部と、前記雄ねじ部に螺合して、前記円錐部を縮径可能なナットと、を有し、一対の前記ストッパは、前記ナットが締結されて、前記風車を前記ポールの軸方向の所定の位置に保持する。
【００１３】
（３）本発明による鳥害防止装置は、前記ポールと交差するように、当該ポールに取り付けられる折曲げ可能な遮断棒を更に備える。
【発明の効果】
【００１４】
本発明による鳥害防止装置は、一端部が枠組みされたアングルに係止され、他端部が複数のアームの頂部に係止されるポールと、このポールに回転自在に取り付けられる風車とで構成しているので、鉄塔への取り付けが容易である。
【００１５】
又、本発明による鳥害防止装置は、電磁誘導の原理を利用して、風車の両端部を発光させる、輝度の高い発光装置を備えているので、夜間でも、カラスなどの鳥を威嚇できる。
【図面の簡単な説明】
【００１６】
【図１】本発明の一実施形態による鳥害防止装置の構成を示す斜視図であり、鳥害防止装置が鉄塔に設置された状態図である。
【図２】前記実施形態による鳥害防止装置の構成を示す斜視分解組立図である。
【図３】前記実施形態による鳥害防止装置の要部を示す正面図であり、一部を断面としている。
【図４】前記実施形態による鳥害防止装置に備わる風車の端部とストッパを対向配置した斜視図ある。
【図５】前記実施形態による鳥害防止装置に備わる発光回路の構成を示す電気回路図である。
【図６】前記実施形態による鳥害防止装置に備わる遮断棒の構成を示す図であり、図６（Ａ）は、遮断棒の斜視図、図６（Ｂ）は、遮断棒とポールを連結する連結具の正面図、図６（Ｃ）は、連結具が開いた状態の正面図である。
【図７】前記実施形態による鳥害防止装置に備わる遮断棒の構成を示す図であり、図７（Ａ）は、分割された遮断棒が階段状に折曲げられた状態図、図７（Ｂ）は、分割された遮断棒が折り畳まれた状態図、図７（Ｃ）は、分割された遮断棒の要部拡大図である。
【図８】前記実施形態による鳥害防止装置の斜視分解組立図である。
【発明を実施するための形態】
【００１７】
以下、図面を参照して本発明を実施するための形態を説明する。
［鳥害防止装置の構成］
最初に、本発明の一実施形態による鳥害防止装置の構成を説明する。図１は、本発明の一実施形態による鳥害防止装置の構成を示す斜視図であり、鳥害防止装置が鉄塔に設置された状態図である。図２は、前記実施形態による鳥害防止装置の構成を示す斜視分解組立図である。
【００１８】
又、図３は、前記実施形態による鳥害防止装置の要部を示す正面図であり、一部を断面としている。図４は、前記実施形態による鳥害防止装置に備わる風車の端部とストッパを対向配置した斜視図ある。図５は、前記実施形態による鳥害防止装置に備わる発光回路の構成を示す電気回路図である。
【００１９】
図１を参照すると、本発明の実施形態による鳥害防止装置１０は、複数の鋼材が骨組みされた鉄塔８に設置される。実施形態による鉄塔８は、一対の支柱部材８ａ・８ａ、第１アングル部材８ｂ、複数のアーム部材８ｃ、及び第２アングル部材８ｄを少なくとも有している。
【００２０】
一対の支柱部材８ａ・８ａは、地上から上方に延びている。第１アングル部材８ｂは、一対の支柱部材８ａ・８ａに両端支持されて、略水平状態に配置されている。複数のアーム部材８ｃは、一対の支柱部材８ａ・８ａに基端部が片持ち状に支持されている。又、複数のアーム部材８ｃは、先端部が集中している。第２アングル部材８ｄは、複数のアーム部材８ｃの先端部を固定している。そして、複数のアーム部材８ｃの先端部から、送電線８ｗが懸垂されている。
【００２１】
図１又は図２を参照すると、鳥害防止装置１０は、ポール１、風車２、及び筒状の一対のストッパ３・３を備えている。ポール１の一端部は、係止金具４を介して、第１アングル部材８ｂに係止されている。ポール１の他端部は、係止金具５を介して、第２アングル部材８ｄに係止されている。例えば、ポール１は、ポリカーボネートなどの軽量で耐候性のある合成樹脂が成形された、中空のパイプを使用することが好ましい。
【００２２】
図１又は図２を参照すると、風車２は、ポール１に取り付けられている。一対のストッパ３・３は、ポール１に締結できる。そして、一対のストッパ３・３は、風車２を保持することができる。
【００２３】
図２から図４を参照すると、風車２は、中空の軸部２１と複数の羽根２２を有している。軸部２１は、光が透過可能な合成樹脂からなっている。又、軸部２１の両端部には、ベアリング２ａが内装され、ポール１と回転可能に連結している。複数の羽根２２は、軸部２１の長手方向の中央部に設けられ、外周方向に突出している。
【００２４】
複数の羽根２２は、表面が鏡面加工されたステンレス板などを用いることが好ましく、高い反射性を有することができる。更に、複数の羽根２２の表面を透明な合成樹脂で被覆することが好ましく、複数の羽根２２の耐候性と強度を向上できる。
【００２５】
図３又は図４を参照すると、風車２は、ループコイル２ｃと一対の整流子２ｄ・２ｄを有している。ループコイル２ｃは、軸部２１の長手方向の両端部の内壁に敷設されている。一対の整流子２ｄ・２ｄは、ループコイル２ｃの端末を接続している。ループコイル２ｃ及び一対の整流子２ｄ・２ｄは、軸部２１の両端部の内壁に接着剤を用いて貼着されている。
【００２６】
図２から図４を参照すると、ストッパ３は、筒部３１と一対の磁石３ａ・３ａを有している。筒部３１は、軸部２１の両端部の内部に挿入できる。一対の磁石３ａ・３ａは、筒部３１の外壁から離隔するように対向配置されている。一対の磁石３ａ・３ａは、互いに極性が異なっており、一方の磁石３ａから他方の磁石３ａに磁界が向かっている。
【００２７】
又、図３から図５を参照すると、ストッパ３は、一対のブラシ３ｂ・３ｂと発光回路３ｃを有している。一対のブラシ３ｂ・３ｂは、筒部３１の外壁に相反する向きに敷設されている。一対のブラシ３ｂ・３ｂは、一対の整流子２ｄ・２ｄと断続的に接続できる。
【００２８】
発光回路３ｃは、実体として、電子部品を表面実装する薄膜のフレキシブル基板からなり、筒部３１の外壁に接着により敷設されている。そして、発光回路３ｃは、一対のブラシ３ｂ・３ｂを表面実装して、電気的に接続している。又、発光回路３ｃは、一対の発光ダイオード（ＬＥＤ）３ｄ・３ｄを外部に向けて、表面実装（配置）している。
【００２９】
図５を参照すると、発光回路３ｃは、一対のブラシ３ｂ・３ｂ間に発生する誘導電流（起電力）Ｅに対して、一対の発光ダイオードＬ１・Ｌ２が極性を変えて接続されている。そして、風車２の回転方向により、発光ダイオードＬ１と発光ダイオードＬ２のいずれか一方を点灯（発光）できる。
【００３０】
又、図５を参照すると、一対の発光ダイオードＬ１・Ｌ２には、誘導電流Ｅの逆流を防止するダイオードＤ１・Ｄ２がそれぞれ極性を異ならせて並列接続されている。更に、一対の発光ダイオードＬ１・Ｌ２には、制限抵抗Ｒ１・Ｒ２がそれぞれ直列接続されている。これにより、一対の発光ダイオードＬ１・Ｌ２が破損しないように保護できる。
【００３１】
図２から図４を参照すると、ストッパ３は、筒部３１と反対側に雄ねじ部３２を設けている。又、ストッパ３は、雄ねじ部３２から円錐部３３を突出している。円錐部３３には、複数のすり割り３４を設けている。更に、ストッパ３は、ナット３ｎを有している。ナット３ｎは、雄ねじ部３２に螺合して、円錐部３３を縮径できる。
【００３２】
図１又は図２を参照すると、一対のストッパ３・３は、ナット３ｎが締結されて、風車２をポール１の軸方向の所定の位置に保持することができる。
【００３３】
引き続き、実施形態による鳥害防止装置１０の構成を説明する。図６は、前記実施形態による鳥害防止装置に備わる遮断棒の構成を示す図であり、図６（Ａ）は、遮断棒の斜視図、図６（Ｂ）は、遮断棒とポールを連結する連結具の正面図、図６（Ｃ）は、連結具が開いた状態の正面図である。
【００３４】
又、図７は、前記実施形態による鳥害防止装置に備わる遮断棒の構成を示す図であり、図７（Ａ）は、分割された遮断棒が階段状に折曲げられた状態図、図７（Ｂ）は、分割された遮断棒が折り畳まれた状態図、図７（Ｃ）は、分割された遮断棒の要部拡大図である。図８は、前記実施形態による鳥害防止装置の斜視分解組立図である。
【００３５】
図１又は図２を参照すると、鳥害防止装置１０は、一対の遮断棒６・６を更に備えている。これらの遮断棒６・６は、通常、ポール１と交差するようにポール１に取り付けられている。遮断棒６は、絶縁性の合成樹脂からなるパイプであってもよく、アルミニウム管などの軽量金属管であってもよく、軽量金属管の場合は絶縁被覆することが好ましい。又、遮断棒６の外周には、赤色と白色の接着テープを交互に巻回しておくことが好ましく、テープに代えて、遮断棒６の外周には、赤色と白色の塗料を交互に塗装してもよい（図６参照）。
【００３６】
図６を参照すると、一対の遮断棒６・６の基端部は、連結器６１に固定されている。連結器６１は、開閉可能な一対のヒンジ６ａ・６ｂで構成されている。ヒンジ６ａは、円弧片６ｃ、パイプ６ｅ、及び補強板６ｇで構成されている。ヒンジ６ｂは、円弧片６ｄ、パイプ６ｆ、及び補強板６ｈで構成されている。
【００３７】
一対の円弧片６ｃ・６ｄを閉じることにより、連結器６１をポール１に固定できる。一対の遮断棒６・６の基端部をそれぞれパイプ６ｅ・６ｆに挿入して固定できる。補強板６ｇは、円弧片６ｃ及びパイプ６ｅを溶接している。補強板６ｈは、円弧片６ｄ及びパイプ６ｆを溶接している。
【００３８】
図７を参照すると、遮断棒６は、複数の単位遮断棒６ｎに分割されている。隣接する一組の単位遮断棒６ｎ・６ｎは、ヒンジ６２で折り曲げ可能に結合されている。したがって、図７（Ｂ）に示されるように、複数の単位遮断棒６ｎを多段に積み重ねることもできる。ヒンジ６２の対向側には、円環状の結合部６３を設けている。一組の結合部６３・６３に固定ピン（図示せず）を挿入することにより、複数の単位遮断棒６ｎを伸長状態に維持できる。
【００３９】
図１又は図８を参照すると、係止金具４は、一対の係止板４ａ・４ｂ、連結板４ｃ、及び一対の円弧片で構成されるクリップ４ｄを備えている。一対の係止板４ａ・４ｂは、ボルトなどの締結具を用いて、第１アングル部材８ｂを挟持している。
【００４０】
連結板４ｃは、ヒンジ４１を介して、その両端部が一対の係止板４ａ・４ｂ及びクリップ４ｄに結合している。したがって、連結板４ｃに対して、一対の係止板４ａ・４ｂ及びクリップ４ｄを所定の角度に維持することができる。クリップ４ｄは、一対の円弧片がビスなどを用いて、閉じられることによりポール１の一端部を挟持できる。
【００４１】
係止金具５は、一対の係止板５ａ・５ｂと一対の円弧片で構成されるクリップ５ｄを備えている。一対の係止板５ａ・５ｂは、ボルトなどの締結具を用いて、第２アングル部材８ｄを挟持している。
【００４２】
一対の係止板５ａ・５ｂは、ヒンジ５１を介して、クリップ５ｄに結合している。したがって、一対の係止板５ａ・５ｂに対して、クリップ５ｄを所定の角度に維持することができる。クリップ５ｄは、一対の円弧片がビスなどを用いて、閉じられることによりポール１の他端部を挟持できる。
【００４３】
［鳥害防止装置の作用］
次に、実施形態による鳥害防止装置１０の構成を補足しながら、鳥害防止装置１０の作用及び効果を説明する。図１から図４を参照すると、鳥害防止装置１０は、ポール１に風車２が取り付けられている。
【００４４】
風車２が風力により回転すると、一対の磁石３ａ・３ａの間の磁界をループコイル２ｃが横切ることにより、電磁誘導の原理で、ループコイル２ｃに誘導電流が発生する。そして、この誘導電流は、一対の整流子２ｄ・２ｄ及び一対のブラシ３ｂ・３ｂを介して、発光回路３ｃに流れ、発光ダイオードＬ１と発光ダイオードＬ２のいずれか一方を点灯（発光）できる（図５参照）。
【００４５】
したがって、実施形態による鳥害防止装置１０は、夜間であっても、風車２の両端部がＬＥＤ３ｄで発光するので、カラスなどの鳥を威嚇できる。これにより、鉄塔８での営巣を防止できる。又、風車２の羽根２２は、鏡面反射するように形成されているので、ＬＥＤ３ｄの光が羽根２２に乱反射して、鳥に強い恐怖心を抱かせることができる、という相乗効果がある。
【００４６】
又、実施形態による鳥害防止装置１０は、鳥が営巣し易い場所であるとされる、複数のアーム部材８ｃの頂部の近傍に風車２を配置できるので、従来の鳥害防止装置と比べて、短絡事故を発生する確率が低くなる。
【００４７】
実施形態による鳥害防止装置１０は、係止金具４及び係止金具５を備えており、既設の鉄塔への取り付けが容易である。実施形態による鳥害防止装置１０は、既設の鉄塔の鉄骨部材に穴加工を施すことなく、取り付け可能であるというメリットがある。
【００４８】
実施形態による鳥害防止装置１０は、通常、一対の遮断棒６・６がポール１の一端部を横断しているので、人間が送電線８ｗに不用意に近づくことを警告している。一方、作業員が送電線８ｗを保守又は点検するときは、一対の遮断棒６・６を折り畳むことができ、便利であり、作業が容易になる。
【００４９】
又、実施形態による鳥害防止装置１０は、一対のストッパ３・３のいずれか一方、又は双方を弛緩することにより、風車２をポール１の任意の位置に移動でき、送電線８ｗを保守又は点検するときに支障にならないという利点がある。
【００５０】
実施形態による鳥害防止装置１０は、組立て及び解体が便利なように、各部品が構成されている。又、実施形態による鳥害防止装置１０は、風車２をポール１の軸方向の所定の位置に保持することができ、自由度に優れている。
【符号の説明】
【００５１】
１  ポール
２  風車
２ｃ  ループコイル
２ｄ・２ｄ  一対の整流子
３・３  一対のストッパ
３ａ・３ａ  一対の磁石
３ｂ・３ｂ  一対のブラシ
３ｃ  発光回路
８  鉄塔
８ａ・８ａ  支柱部材
８ｂ  第１アングル部材
８ｃ  アーム部材
８ｄ  第２アングル部材
８ｗ  送電線
１０  鳥害防止装置
【図１】
2011151941.tif 000003
【図２】
2011151941.tif 000004
【図３】
2011151941.tif 000005
【図４】
2011151941.tif 000006
【図５】
2011151941.tif 000007
【図６】
2011151941.tif 000008
【図７】
2011151941.tif 000009
【図８】
2011151941.tif 000010